(57)【要約】【課題】  風向を調節可能として、電子部品の過熱によりパソコン等の電子機器に発生する不具合をより確実に解消し得る冷却装置の提供。【解決手段】  ＣＰＵ等の電子部品を有するパソコン２の本体３の後部４が載置されることで本体３をその載置面５から浮かせて、載置面５と本体３との間の空間６に向けて送風口７Ａ，７Ｂから送風して本体３を冷却する冷却装置１であって、送風口７Ａ，７Ｂからの送風の方向を調節する風向調節機構８を有した構成。【選択図】  図１
0003113236.tif 000002
【実用新案登録請求の範囲】
【請求項１】
電子部品を有する電子機器の本体の後部が載置されることで該本体をその載置面から浮かせて、該載置面と前記本体との間の空間に向けて送風口から送風して前記本体を冷却する冷却装置であって、前記送風口からの送風の方向を調節する風向調節機構を有したことを特徴とする電子機器の冷却装置。
【請求項２】
風向調節機構は、風向を上下方向に調節可能に構成されていることを特徴とする請求項１記載の電子機器の冷却装置。
【請求項３】
風向調節機構は、風向を左右方向に調節可能に構成されていることを特徴とする請求項１または請求項２記載の電子機器の冷却装置。
【請求項４】
風向調節機構は、風向を上下方向と左右方向に独立して調節可能に構成されている請求項１記載の電子機器の冷却装置。
【請求項５】
風向を左右方向に調節するために左右に回動する縦羽根を前記送風口の内部に配置し、風向を上下方向に調節するために上下に回動する横羽根を送風口の前方下側に配置していることを特徴とする請求項４記載の電子機器の冷却装置。
【請求項６】
送風口が複数左右に並べられ、送風口からの送風の方向がそれぞれ独立して調節可能とされていることを特徴とする請求項１乃至請求項５の何れかに記載の電子機器の冷却装置。
【請求項７】
風向調節機構は送風を発生させるファンを備え、該ファンの駆動電源は電子機器の本体に設けた端子から採取されることを特徴とする請求項１乃至請求項６の何れかに記載の電子機器の冷却装置。
【請求項８】
装置本体の前端部の左右両端部を前方に突出させて両突出部間を後方に切欠くように構成し、両突出部上面を電子機器本体の後部を載置する載置部として構成するとともに、両突出部間に前方に開口するように前記送風口設けていることを特徴とする請求項１記載の電子機器の冷却装置。
【請求項９】
風向調節機構は、風向を上下方向に調節するために上下方向に回動する横羽根を備え、該横羽根は、送風口の前方であって両突出部間の切欠部内に配置されていることを特徴とする請求項８記載の電子機器の冷却装置。
【請求項１０】
送風口は両突出部間に左右に並べて複数設けられる一方、横羽根は一枚にて構成されて該一枚の横羽根で複数の送風口からの風向を同時に調節することを特徴とする請求項９記載の電子機器の冷却装置。
【請求項１１】
横羽根は両突部間の左右方向略全長に亙って設けられていることを特徴とする請求項１０記載の電子機器の冷却装置。
【請求項１２】
両突出部から内側に向けてストッパをそれぞれ突出させ、両ストッパで前記横羽根の所定位置を越える下側への回動を停止させるよう構成していることを特徴とする請求項１１記載の電子機器の冷却装置。
【請求項１３】
横羽根には該横羽根一体に回動する被係止片が設けられ、横羽根が上方に回動したときに被係止片が前記ストッパに上方から当接することにより、横羽根のそれ以上の上方への回動が阻止されることを特徴とする請求項１２記載の電子機器の冷却装置。
【請求項１４】
横羽根はその左右両側の後端部に該横羽根の回動軸となる回動軸部をそれぞれ側方に突出して備え、該回動軸部は装置本体の両突出部の内側の側面に挿入支持され、装置本体は上下一対のケーシングを有し、両ケーシングで回動軸部を上下に挟むようにして支持することを特徴とする請求項１１記載の電子機器の冷却装置。
【請求項１５】
下側のケーシングに回動軸部を支持するための上方に開口したＵ字形状の支持凹部が形成され、該支持凹部に回動軸部を上方から嵌め込み、上側のケーシングを下側のケーシングに重ねることによって支持凹部の上方を上側のケーシングで塞いで回動軸部を両ケーシングによって回動可能に支持することを特徴とする請求項１４記載の電子機器の冷却装置。
【考案の詳細な説明】
【技術分野】
【０００１】
本考案は、ノート型のパーソナルコンピュータ等の電子機器の冷却装置に関する。
【背景技術】
【０００２】
一般に、ノート型のパーソナルコンピュータ（以下「パソコン」という）等の電子機器は、ＣＰＵ等の電子部品を備え、ＣＰＵは使用に伴い発熱する。ＣＰＵが発熱すると、パソコンの画面が動かなくなるフリーズ現象、演算処理速度が低下するスピードダウン現象等が発生し易くなる。そこで、ＣＰＵが過熱しないように冷却するための冷却装置が提案されている（例えば、特許文献１参照）。これは、パソコンの本体を載置するよう用い、該本体の下面側で送風させるものである。
【特許文献１】特開２００４−１０２７５４号公報
【考案の開示】
【考案が解決しようとする課題】
【０００３】
しかしながら、上記従来の冷却装置は、パソコンの本体の下面全体に対して送風するものでその風向を調節できず、上記のようにＣＰＵの過熱によってパソコンに生じる不具合を確実に解消するには不充分であると考えられる。
【０００４】
そこで本考案は、上記課題に鑑み、風向を調節可能とし、これにより電子部品の過熱によりパソコン等の電子機器に発生する不具合をより確実に解消し得る電子機器の冷却装置の提供を課題とする。
【課題を解決するための手段】
【０００５】
本考案の電子機器の冷却装置は、電子部品を有する電子機器の本体の後部が載置されることで該本体をその載置面から浮かせて、該載置面と前記本体との間の空間に向けて送風口から送風して前記本体を冷却する冷却装置であって、前記送風口からの送風の方向を調節する風向調節機構を有したことを特徴としている。
【０００６】
上記構成によれば、送風口から電子機器の本体に送風されるから、電子部品の発熱により加熱される電子機器の本体の熱が奪われて、本体を介して間接的に電子部品の過熱を抑える。この場合、予め高温になる本体の領域を知っておいて、その領域に向けて送風されるよう風向調節機構を操作しておくことにより、最も冷却する必要のある領域を集中的に冷却することが可能となり、電子機器の本体を無駄なく冷却して電子部品を冷却することで電子部品の過熱を軽減して、当該過熱によって発生する電子機器の不具合を抑制することが可能となる。この場合、電子機器としては、ノート型のパソコンやテレビゲーム等、ＣＰＵ等を有して過熱によりその駆動に不具合が発生するおそれのあるものを包含する概念である。
【０００７】
本考案の電子機器の冷却装置における風向調節機構は、風向を上下方向に調節可能に構成されていることが好ましい。この構成によれば、風向を上下方向に調節して、最も冷却する必要のある本体の領域を集中的に冷却することが可能となる。
【０００８】
本考案の電子機器の冷却装置における風向調節機構は、風向を左右方向に調節可能に構成されていることが好ましい。この構成によれば、風向を左右方向に調節して、最も冷却する必要のある本体の領域を集中的に冷却することが可能となる。
【０００９】
本考案の電子機器の冷却装置における風向調節機構は、風向を上下方向と左右方向に独立して調節可能に構成されていることが好ましい。この構成によれば、必要に応じて風向を上下方向、左右方向に調節することで、最も冷却する必要のある本体の領域を集中的に冷却することが可能となる。
【００１０】
本考案の電子機器の冷却装置における風向調節機構は、風向を左右方向に調節するために左右に回動する縦羽根を前記送風口の内部に配置し、風向を上下方向に調節するために上下に回動する横羽根を送風口の前方下側に配置していることが好ましい。この構成によれば、電子機器に近い位置にて風向の調節が可能となる。
【００１１】
本考案の電子機器は、送風口が複数左右に並べられ、送風口からの送風の方向がそれぞれ独立して調節可能とされていることが好ましい。この構成によれば、最も冷却する必要がある本体の領域が複数ある場合、それぞれの領域に向けて独立して送風することが可能となる。
【００１２】
本考案の電子機器の冷却装置における風向調節機構は、送風を発生させるファンを備え、該ファンの駆動電源は電子機器の本体に設けた端子から採取されることが好ましい。この構成によれば、ファンの駆動のために特別に電源を設ける必要がなく、電子機器の電源から端子を介してファンを駆動させるようになる。
【００１３】
本考案の電子機器の冷却装置は、装置本体の前端部の左右両端部を前方に突出させて両突出部間を後方に切欠くように構成し、両突出部上面を電子機器本体の後部を載置する載置部として構成するとともに、両突出部間に前方に開口するように前記送風口設けていることが好ましい。この構成によれば、装置本体を特別に大きくすることなく電子機器の後部を前部に比べて高い位置とすることができ、電子機器が手指による操作キー等を有する場合、その操作がし易くなる。
【００１４】
本考案の電子機器の冷却装置における風向調節機構は、風向を上下方向に調節するために上下方向に回動する横羽根を備え、該横羽根は、送風口の前方であって両突出部間の切欠部内に配置されていることが好ましい。この構成によれば特別に冷却措置を大きくすることなく送風を行うことができる。
【００１５】
本考案の電子機器の冷却装置においては、送風口は両突出部間に左右に並べて複数設けられる一方、横羽根は一枚にて構成されて該一枚の横羽根で複数の送風口からの風向を同時に調節することが好ましい。この構成によれば簡単な構成でもって、風向の調節が可能になる。
【００１６】
本考案の電子機器の冷却装置においては、横羽根は両突部間の左右方向略全長に亙って設けられていることが好ましい。この構成によれば、送風口からの送風を両突部間の左右方向略全長に亙って風向調節することが可能となる。
【００１７】
本考案の電子機器の冷却装置は、両突出部から内側に向けてストッパをそれぞれ突出させ、両ストッパで前記横羽根の所定位置を越える下側への回動を停止させるよう構成していることが好ましい。この構成によれば、横羽根はストッパに係止して所定位置を越える回動をしないから、本体の不要な領域を冷却することを防止する。
【００１８】
本考案の電子機器の冷却装置は、横羽根に、該横羽根一体に回動する被係止片が設けられ、横羽根が上方に回動したときに被係止片が前記ストッパに上方から当接することにより、横羽根のそれ以上の上方への回動が阻止されることが好ましい。この構成によれば、被係止片がストッパに係止することで横羽根の上方への回動を阻止するから、本体の不要な領域を冷却することを防止する。
【００１９】
本考案の電子機器の冷却装置では、横羽根はその左右両側の後端部に該横羽根の回動軸となる回動軸部をそれぞれ側方に突出して備え、該回動軸部は装置本体の両突出部の内側の側面に挿入支持され、装置本体は上下一対のケーシングを有し、両ケーシングで回動軸部を上下に挟むようにして支持することが好ましい。この構成によれば、横羽根の回動軸部を両突出部の内側の側面に挿入し、両ケーシングで上下に挟むことで装置本体を容易に組立てることが可能となり、横羽根は回動軸部を介して装置本体に確実に回動自在に支持される。
【００２０】
本考案の電子機器の冷却装置では、下側のケーシングに回動軸部を支持するための上方に開口したＵ字形状の支持凹部が形成され、該支持凹部に回動軸部を上方から嵌め込み、上側のケーシングを下側のケーシングに重ねることによって支持凹部の上方を上側のケーシングで塞いで回動軸部を両ケーシングによって回動可能に支持することが好ましい。この構成によれば、横羽根の支持凹部に上方から嵌め込んで両ケーシングを重ねることで装置本体を容易に組立てることが可能となり、横羽根は回動軸部を介して装置本体に確実に回動自在に支持される。
【考案の効果】
【００２１】
本考案の電子機器の冷却装置によれば、送風口から電子機器の本体に送風される場合、高温になる本体の領域に向けて送風されるよう風向調節機構を操作しておくことにより、最も冷却する必要のある領域を集中的に冷却することが可能となり、電子機器の本体を無駄なく冷却して電子部品を冷却することで電子部品の過熱を軽減して、当該過熱によって発生する電子機器の不具合を抑制することが可能となる。
【考案を実施するための最良の形態】
【００２２】
以下、本考案に係る電子機器の冷却装置を、電子機器の一例としてノート型のパソコンに使用した例として、図面に基づいて説明する。図１は本考案の冷却装置の使用状態を示す斜視図、図２は上側のケーシングの平面図、図３は上側のケーシングの底面図、図４は図３の一部を省略したＡ−Ａ線断面図である。尚、図４は図３の断面図であるため、冷却装置を組立てた場合、図３では上方側が実際の冷却装置の下方となる。図５は下側のケーシングの全体構成を示す上方からの斜視図である。
【００２３】
これらの図に示すように、本考案の冷却装置１はＣＰＵ等の電子部品（図示せず）を有するパソコン２の本体３の後部４が載置されることで該本体３をその載置面５から浮かせるようにして用いるものである。このように使用することで、該載置面５と本体３との間に後述の楔状の空間６が形成され、この空間６に向けて冷却装置本体７（以下、単に「装置本体７」という）に設けた送風口７Ａ，７Ｂから空気を送風Ｓして、前記本体３を冷却するものである。冷却装置１は前記装置本体７、送風装置としてのファンユニット１５を有する。装置本体７はその前方に、パソコン２の本体３の後部４を載置する載置部２３，２３が設けられている。そして特に、冷却装置１は、装置本体７に設けた前記送風口７Ａ，７Ｂからの送風Ｓの方向を調節する風向調節機構８を有している。風向調節機構８は後述の縦羽根１０，１１、横羽根１２、上下の案内条部を有する。
【００２４】
装置本体７は、上下一対のケーシング１６，１７を有している。図２に示すように、上側のケーシング１６は平面視略矩形に形成されている。上側のケーシング１６は上案内部１８と、該上案内部１８の前方に突出するよう形成される上突出部２０とを有する。上突出部２０を含めて上側のケーシング１６はその前側辺１６ａに対して下方に延設された側壁１６ｃを有し、さらに後壁１６ｄを有する。図１および図４に示すように、上側のケーシング１６の上案内部１８の上壁２２の少なくともその下面２２ａは、後部が高く前部が低くなるよう滑らかな曲面に形成されている。
【００２５】
これは送風Ｓの方向を案内する形状に適した形状とするためである。その前後方向一方側、即ち前端部の左右両端部を前方に突出させて前記上突出部２０，２０を形成している。換言すれば、該両上突出部２０，２０間を後方に切欠くように上側のケーシング１６を形成しており、両上突出部２０，２０の上面をパソコン本体３の後部４を載置する載置部２３，２３として構成している。上側のケーシング１６の板面（上面）には、左右方向に離間して複数の吸気口２４，２４からなる吸気口群２５，２５が一対で形成されている。前記載置部２３，２３の上面には滑り止め部材２３ａ，２３ａがそれぞれ貼着されている。
【００２６】
図３に示すように上側のケーシング１６の裏面の外周部に沿って下側のケーシング１７における後述の係合突条２６と組合される被係合凹条２７が形成されている。但し被係合凹条２７は、送風口７Ａ，７Ｂに相当する領域を除く部分に形成されている。上側のケーシング１６の裏面において前記吸気口群２５，２５に対応する部位に吸気用のファンユニット１５がねじ３０止めされている。ファンユニット１５は、前記ねじ３０止めされる取付けフレーム３１と、ファン３２と、該ファン３２を不図示の支軸回りに回転させる駆動モータ部３３とから構成されている。駆動モータ部３３の駆動部に電源を供給するための供給部品ユニット３４Ａが後壁１６ｄに取付けられており、各駆動モータ部３３と供給部品ユニット３４Ａとはリード線３５を介してそれぞれ電気的に接続されている。供給部品ユニット３４Ａは、駆動モータ部３３への駆動電流を繋断するための操作スイッチ３４ａを有する。後述のＵＳＢケーブル７５が接続されて供給部品ユニット３４Ａに対して電気を供給するための採電ユニット３４Ｂが、供給部品ユニット３４Ａに並べて配置され、採電ユニット３４Ｂと供給部品ユニット３４Ａとはリード線３５を介して電気的に接続されている。尚、図３では一方のファンユニット１５の図示は省略している。
【００２７】
上側のケーシング１６のファンユニット１５間の上案内部１８は、後述するように送風を案内するための上案内条部３６を有する。この上案内条部３６は、前記取付けフレーム３１の内側に沿う上沿線部３７ａ，３７ａと、該両上沿線部３７，３７の先端から互いに近付くよう傾斜する上傾斜部３８，３８とから底面視して略Ｖ時形状に形成される中案内部３９Ａと、取付けフレーム３１の外側に沿う上沿線部３７ｂ，３７ｂと、この上沿線部３７ｂ，３７ｂからさらに外方に広がるよう湾曲形成される上傾斜部３８，３８とから形成される外案内部４０Ａとからなる。中案内部３９Ａの先端３９ａは、上側のケーシング１６の前側辺１６ａから後退した位置に位置付けられている。上側のケーシング１６の四隅および左右方向中心にはねじ孔４３ａが形成されている。また、図３および図４に示すように、上側のケーシング１６の前側辺１６ａからわずかに後退した位置に、後述の複数の縦羽根１０，１１を回動自在に支持するための上側縦軸４５が左右所定間隔置きに立設形成されている。尚、前側辺１６ａは前記送風口７Ａ，７Ｂを形成する部分である。
【００２８】
図４に示すように、上案内条部３６の底辺３６ａの高さ位置は、上側のケーシング１６の底辺１６ｂの高さ位置よりわずかに上方にあり、底辺１６ｂ，３６ａどうしは平行に設定されている。前側辺１６ａの左右方向中央部には、後述の横羽根１２の左右方向中心に形成された被案内孔４７に遊嵌する案内片４８が一体的に形成されている。この案内片４８は、前側辺１６ａから下方に垂下される垂下片５０と、該垂下片５０の下端部に形成される円弧状の支持片５１とから一体的に形成されている。
【００２９】
ところで、下側のケーシング１７は、上側のケーシング１６と組合されるものであり、上側のケーシング１６に対応する形状を有する。すなわち、上案内部１８に対応する下案内部１９と、上突出部２０，２０に対応する下突出部２１，２１とを有する。前記載置部２３は上突出部２０，２０と下突出部２１，２１とから構成される。これら下突出部２１，２１は底壁２１ｃと、該底壁２１ｃの外側部から立上がる側壁２１ｄを有する。さらに、下側のケーシング１７は、底壁２１ｃから立上がる後壁２１ｅを有する。前記被係合凹条２７に嵌合する前記係合突条２６を有する。下案内部１９には、前記上案内条部３６に対応する（上下で合致する）形状の下案内条部６０が形成されている。この下案内条部６０は、下沿線部６１，６１と、該両下沿線部６１，６１の先端から互いに近付くよう傾斜する下傾斜部６２，６２とから底面視して略Ｖ時形状に形成される中案内部３９Ｂと、前記取付けフレーム３１の外側に沿う下沿線部６１，６１と、この下沿線部６１，６１からさらに外方に広がるよう湾曲形成される下傾斜部６２，６２とから形成される外案内部４０Ｂとからなる。中案内部３９Ｂの下沿線部６１，６１間の上面１９ａは平面である一方、中案内部３９Ｂと外案内部４０Ｂの下沿線部６１，６１との間の上面１９ｂは前後方向中央が最も低い位置にあるよう下方に凸となる湾曲形状に形成されている。これは気流を送風口７Ａ，７Ｂに案内しやすくするための形状とするためである。
【００３０】
中案内部３９Ｂの先端３９ｂは、下側のケーシング１７の前側辺１７ａからわずかに後退した位置に位置付けられている。下側のケーシング１７の四隅および左右方向中心にはねじ孔４３ｂが形成されている。また、下側のケーシング１７の前側辺１７ａからわずかに後退した位置に、後述の複数の縦羽根１０，１１を回動自在に支持するための下側縦孔６５が左右所定間隔置きに凹設されている。尚、前側辺１７ａは前記送風口７Ａ，７Ｂを形成する部分である。下側のケーシング１７の前側辺１７ａの左右方向途中（この場合、中央）に、断面円弧状の支持片５９，５９が左右に離間して対で形成されている。支持片５９，５９は被案内孔４７に遊嵌される。
【００３１】
図６および図７は縦羽根１０，１１の構成図、図８はリンク部材の構成図、図９乃至図１１は横羽根の構成図である。縦羽根１０，１１はこれら送風口７Ａ，７Ｂにそれぞれ配置される。左右の縦羽根１０，１１（縦羽根群であるルーバー）はそれぞれ二種類の縦羽根１０，１１を有する。図６に一種の縦羽根１０を示す。この縦羽根１０は先端側（前側）が薄肉となる舵形状の第一羽根本体１０Ａを有し、その上下面１０ａ，１０ｂそれぞれに、上下方向の縦小軸６６，６７を有する。一方の縦小軸６６は第一羽根本体１０Ａの下面１０ｂの中心に一体的に下方に向けて突出形成されて、前記下側縦孔６５に挿入される。一種の縦羽根１０の上面１０ａ後部に他方の縦小軸６７が一体的に形成されている。さらに、一種の縦羽根１０の上面１０ａ略中央部に上下方向の小孔７０が形成されている。第一羽根本体１０Ａの下面１０ｂは、下側のケーシング１７の前側辺１７ａ側形状に沿うよう前方に向けて上傾斜するよう形成されている。この傾斜形状により、縦小軸６６を下側縦孔６５に挿通することで一種の縦羽根１０を下側のケーシング１７に支持した際に、縦羽根１０の上面１０ａは水平となる。
【００３２】
図７に示すように、他種の縦羽根１１は先端側（前側）が薄肉となる舵形状の第二羽根本体１１Ａを有し、その上下面１１ａ，１１ｂそれぞれに、上下方向の縦小軸６６，６７を有する。一方の縦小軸６６は第二羽根本体１１Ａの下面１１ｂの中心に一体的に下方に向けて突出形成されて、前記下側縦孔６５に挿入される。他種の縦羽根１１の上面１１ａ後部に他方の縦小軸６７が一体的に形成されている。さらに、他種の縦羽根１１の上面１１ａ略中央部に上下方向の小孔７０が形成されている。第二羽根本体１１Ａの下面１１ｂは、下側のケーシング１７の前側辺１７ａ側形状に沿うよう前方に向けて上傾斜するよう形成されている。この傾斜形状により、縦小軸６６を下側縦孔６５に挿通することで他種の縦羽根１１を下側のケーシング１７に支持した際に、縦羽根１１の上面１１ａは水平となる。また、縦羽根１１はその先端に操作片５２を前方に突出するよう一体形成している。
【００３３】
図８に示すリンク部材７１は、縦羽根１０，１１をそれぞれ一斉に同方向、すなわち左右方向に回動させるための機能を有するものである。これは左右方向に長い略矩形状且つ板状のリンク本体７１Ａと、このリンク本体７１Ａの上面７１ａに形成された凹凸部７２とを有する。リンク本体７１Ａの途中に、挿通孔７３が形成されており、これら挿通孔７３に前記縦羽根１０，１１の縦小軸６７に遊嵌するものである。これら挿通孔７３間の中心距離Ｌ１は、前記下側縦孔６５間の左右中心間距離Ｌ２に等しく設定されている。
【００３４】
次に前記横羽根１２の構成を説明する。図９は横羽根１２の底面図、図１０は横羽根１２の背面図、図１１は横羽根１２の側面図である。これらの図に示すように、横羽根１２は、水平板状に形成された横羽根本体１２Ａと、この横羽根本体１２Ａの左右両側後端部に側方に一体的に突出形成された横軸部１２ａと、横羽根本体１２Ａの左右両側後端部それぞれに下方に突出するよう一体的に形成された被係止片７６，７６が形成されている。これら被係止片７６，７６は水平な小板状に形成されている。被係止片７６，７６それぞれの前面７６ａが後述のストッパ７８に係止する被係止面としての機能を有する。尚、横軸部１２ａ，１２ａ間は強度保持を目的として、該横軸部１２ａ，１２ａに比べて大径の円形断面である大径部１２ｅとされている。さらに横羽根本体１２Ａの裏面に、該横羽根本体１２Ａの左右幅に比べて小さい幅を有する突条（リブ）８１が一体的に形成されている。この突条８１は、横羽根本体１２Ａの撓み防止と補強の機能を有する。また、横羽根本体１２Ａの左右方向途中（この場合、中央部）に、左右方向に長い矩形状の前記被案内孔４７が形成されている。この被案内孔４７には前記支持片５９，５９が摺動（回動）可能に挿通するものである。
【００３５】
下側のケーシング１７の下案内部１９と下突出部２１との左右境界部で、下突出部２１の内側壁２１ａに前記横軸部１２ａが上方から嵌め込まれる側面視Ｕ字形状の支持凹部８３，８３が、内側壁２１ａを切欠くようにして形成されている。
【００３６】
図１２および図１３は、それぞれ下側のケーシング１７に横羽根１２を取付ける際、および取付けた後の部分拡大斜視図である。これらの図に基づいて前記ストッパ７８の構成を説明する。ストッパ７８は下側のケーシング１７の左右両側、すなわち前記支持凹部８３，８３の前方で下突出部２１，２１の前方近傍に一体形成されており、その構成は同一であるので、一方のストッパ７８について説明することで、他方のストッパ７８の説明を兼用する。
【００３７】
ストッパ７８は、取付け部８６と垂下部９０を有して側面視Ｌ字形に形成されている。ストッパ７８の取付け部８６は、前後方向に長い平面視矩形の板状に形成されている。取付け部８６は、前記支持凹部８３の前方に、該支持凹部８３に隣接して且つ下突出部２１の段付き上面２１ｂから横羽根本体１２Ａの厚みｔ１に比べてわずかに低い位置に位置付けられている。その上面８６ａは横羽根本体１２Ａの下面１２ｂが上方から当接する当接平面とされている。垂下部９０は取付け部８６前方に下方に垂下するよう一体的に形成されている。またストッパ７８の取付け部８６の左右幅Ｌ３は、横羽根本体１２Ａの端面１２ｃから突条８１までの左右距離Ｌ４に比べてわずかに小さく設定されている。
【００３８】
ここで、上記構成の冷却装置１の組立て手順を説明する。下側縦孔６５に縦羽根１０，１１それぞれを、これらの縦小軸６６を下側縦孔６５に挿通することで縦羽根１０，１１を下側のケーシング１７に回転自在に保持する。そして縦羽根１０，１１それぞれを、それらの先端部を前方に向けるようにして縦羽根１０，１１の縦小軸６７をリンク部材７１の挿通孔７３に挿通するようにする。このようにすることで、縦羽根１０，１１はリンク部材７１を介してそれぞれ縦小軸６６回りに一斉に左右方向に回動可能となる。
【００３９】
一方で、横羽根１２においては、その横羽根本体１２Ａをほぼ水平にするようにして、横軸部１２ａ，１２ａを支持凹部８３，８３に上方から嵌込むようにする。このとき、支持片５９，５９は下側のケーシング１７の前側辺１７ａの左右方向中央に配置されており、被案内孔４７は横羽根本体１２Ａの左右方向中央に配置されているから、同時に両支持片５９，５９が被案内孔４７に容易に嵌込まれ、大径部１２ｅを外嵌する。このようにして横羽根１２を下側のケーシング１７に組付けることで、横羽根１２は下側のケーシング１７の前側辺１７ａの前方に位置することになる。
【００４０】
続いて、上側のケーシング１６の被係合凹条２７と下側のケーシング１７の係合突条２６とを組合すようにしてケーシング１６，１７どうしを組合せ、はねじ孔４３ａ，４３ｂに不図示のねじを螺合することでケーシング１６，１７どうしを固定する。このようにすることで、中案内部３９Ａの下面と中案内部３９Ｂ上面とが重なり（当接し）、外案内部４０Ａと外案内部４０Ｂとが重なる。また、案内片４８の支持片５１が支持片５９，５９の間に介入し被案内孔４７に遊嵌されるとともに、大径部１２ｅを外嵌することになる。また、被係合凹条２７と係合突条２６とが組合されることで、上側のケーシング１６の側壁１６ｃと下側のケーシング１７の側壁２１ｄどうしが上下方向で重なり、上側のケーシング１６の側壁１６ｃと下側のケーシング１７の後壁２１ｅどうしが重なることから装置本体７の側方、後方が密閉されるから、装置本体７内に後方から前方に向けて左右方向へ広がるとともに後方側に比べて前方側の高さが低い送風路Ｒが形成される。さらに、載置部２３間の本体部分が開放されているからこれが送風口７Ａ，７Ｂとなり、この送風口７Ａ，７Ｂは、載置部２３間の切欠部Ｋ内（後部）に位置することになる。
【００４１】
次に、上記構成の冷却装置１の使用方法を説明する。冷却装置１を机上等の載置面５に載置し、パソコン２の本体３を、その後部４を載置部２３（上突出部２０）に載置する。このようにすることで、パソコン２の本体３と載置面５との間に楔状の空間６ができる。すなわち、この状態によれば、パソコン２の本体３が前方が下傾斜するようになって、パソコン２のキーボードが操作し易くなる。また、載置部２３，２３の上面には滑り止め部材２３ａ，２３ａがそれぞれ貼着されているから、パソコンの本体３は確りと載置面上に保持される。
【００４２】
一方で、図１４に示すように、ＵＳＢケーブル７５の一方の端子７５ａを採電ユニット３４Ｂの接続部７６に接続し、ＵＳＢケーブル７５の他方の端子であるＵＳＢコネクタ７７をパソコン２の本体３のＵＳＢ端子７８に接続する。このようにすることで、採電ユニット３４Ｂからファンユニット１５の駆動モータ部３３に通電可能な状態となる。したがって、ファンユニット１５の駆動モータ部３３の駆動のための電源を特別に設ける必要がないといった利点がある。
【００４３】
ここで操作スイッチ３４ａをオン操作すると、ファン３２が支軸回りに回転し、吸気口群２５，２５から空気が吸入される。そして、ケーシング１６，１７どうしが組合わされることで冷却装置１の側部および後部は閉じられているから、吸気口群２５，２５それぞれから吸入された空気は、装置本体７内で案内されて送風口７Ａ，７Ｂから前方へ向けて吐出される。
【００４４】
ところで、パソコン２の本体３は、ＣＰＵ等の電子部品を有し、パソコン２の起動により発熱する。そして電子部品の発熱によりパソコン２の本体３（この場合、筐体）も発熱する。そしてＣＰＵ等の電子部品が過熱されることで、パソコン２のフリーズ現象、スピードダウン現象等が発生し易くなるが、上記のように送風Ｓによりパソコン２の本体３が冷却される。したがって、本体３の冷却によってＣＰＵ等の電子部品が間接的に冷却されることになり、上記不具合を防止することができる。
【００４５】
この実施形態の冷却装置１は、風向調節機構８を有する。すなわち、風向を調節可能であり、パソコン２の本体３のうち最も発熱する領域を予め知っておくことにより、風向調節機構８を調節してその領域に対して無駄なく送風Ｓすることができる。具体的には、縦羽根１０，１１の方向を左右に調節することで風向を左右に調節することが可能となる。この場合、縦羽根１１の操作片５２を手指Ｆで摘んで左右に操作する。そうすると、縦羽根１０，１１はリンク部材７１で連結されているから、縦羽根１１を操作することで縦羽根１０も一斉に同方向に回動し、最も発熱する領域を集中的に冷却することが可能になる。さらに縦羽根１０，１１は、装置本体７の送風口７Ａ，７Ｂそれぞれに配置されているから、発熱の領域が複数箇所ある場合には、それぞれで調節することが可能になる。
【００４６】
さらに風向調節機構８は横羽根１２を有して、この横羽根１２を手指Ｆで摘んで横軸部１２ａ，１２ａ回りに回動することで、風向を上下方向に調節することができる。横羽根１２は水平な姿勢ではその横羽根本体１２Ａの左右両側の端部底面１２ｄが取付け部８６の上面８６ａに当接して載置された状態にある。したがってこの状態では、風向は略水平となる。ここで横羽根１２を手指Ｆで摘んで上方に回動させると、その限界は、被係止片７６，７６の前面７６ａがストッパ７８の下面７８ａに当接することで係止するまでである。そしてその回動途中で手指Ｆを離したとした場合、支持片５９，５９および支持片５１が被案内孔４７に挿入されており、これらが大径部１２ｅを外嵌しており、その摩擦力でもって、回動途中の姿勢を簡単な構成でもって確実に保持するものである。
【００４７】
上記のようにして風向調節機構８を調節することで、パソコン２の本体３のうち最も発熱する領域を予め知っておくことにより、風向調節機構８を調節してその領域に対して送風を向けて、上記不具合の発生を効果的に抑制することができる。
【００４８】
尚、上記実施形態では、冷却装置１の電源としてパソコン２（ＡＣ電源を用いている）の本体３のＵＳＢ端子７８に接続するようにして電源を確保したがこれに限定されるものではない。すなわち、冷却装置１の電源としてパソコン２とは別に、独自にＡＣ電源に接続するよう構成することで冷却装置１の電源を確保することも可能である。さらに、ＡＣ電源、ＵＳＢ電源の何れかを選択的に使用する構成とし、場合に応じて用いる電源を選択するようにして使用することも可能である。
【図面の簡単な説明】
【００４９】
【図１】本考案の実施形態を示す冷却装置の使用状態を示す斜視図である。
【図２】上側のケーシングの平面図である。
【図３】上側のケーシングの底面図である。
【図４】図３の一部を省略したＡ−Ａ線断面図である。
【図５】下側のケーシングの全体構成を示す上方からの斜視図である。
【図６】一種の縦羽根の構成図であり（ａ）は平面図、（ｂ）は側面図、（ｃ）は底面図、（ｄ）は中央断面図である。
【図７】他種の縦羽根の構成図であり（ａ）は平面図、（ｂ）は側面図、（ｃ）は底面図である。
【図８】リンク部材の構成図であり（ａ）は平面図、（ｂ）は中央断面図である。
【図９】横羽根の底面図である。
【図１０】横羽根の背面図である。
【図１１】横羽根の側面図である。
【図１２】下側のケーシングに横羽根を取付ける際の部分拡大斜視図である。
【図１３】下側のケーシングに横羽根を取付けた際の部分拡大斜視図である。
【図１４】冷却装置とパソコンとの電気的接続を実施する際の斜視図である。
【符号の説明】
【００５０】
１…冷却装置、２…パソコン、３…本体、４…パソコンの後部、６…空間、７…装置本体、７Ａ，７Ｂ…送風口、１０，１１…縦羽根、１２…横羽根、１２ａ…横軸部、１２Ａ…横羽根本体、１２ｅ…大径部、１５…ファンユニット、１６…上側のケーシング、１７…下側のケーシング、１７ａ…前側辺、２０…上突出部、２３…載置部、２３ａ…滑り止め部材、２５…吸気口群、２６…係合突条、２７…被係合凹条、３２…ファン、３３…駆動モータ部、３４ａ…操作スイッチ、３９Ａ，３９Ｂ…中案内部、４０Ａ，４０Ｂ…外案内部、４７…被案内孔、４８…案内片、５１…支持片、５９…支持片、６５…下側縦孔、６６，６７…縦小軸、７１…リンク部材、７３…挿通孔、８３…支持凹部、Ｒ…送風路、７５…ＵＳＢケーブル、Ｋ…切欠部、Ｓ…送風
【図１】
0003113236.tif 000003
【図２】
0003113236.tif 000004
【図３】
0003113236.tif 000005
【図４】
0003113236.tif 000006
【図５】
0003113236.tif 000007
【図６】
0003113236.tif 000008
【図７】
0003113236.tif 000009
【図８】
0003113236.tif 000010
【図９】
0003113236.tif 000011
【図１０】
0003113236.tif 000012
【図１１】
0003113236.tif 000013
【図１２】
0003113236.tif 000014
【図１３】
0003113236.tif 000015
【図１４】
0003113236.tif 000016